(57)【要約】【課題】従来インターネットの利用の際、複数のアプリケーションを必要としたが、一元化することは可能であり動画やメールでもユーザビリティーの追及は一途を辿っている。日常化したネットライフを多機能な一元化システムが必要な時代になってきた。【解決手段】アニメーション、メール、ブログ、広告動画、ショッピングモール、広告の紹介、広告シャッフルをいくつもブラウザを開く事なく、インターネット上で利用するであろうサービスをひとつのブラウザで利便性の高い各機能を実装させた事によって提供するブログ総合システムによって解決する。。【選択図】図１
2009301518.tif 000002
【特許請求の範囲】
【請求項１】
ユーザーがオリジナルのシナリオ又は日記などの記事を詳細設定して書くことで絵を描かなくても自動的にオリジナルアニメーションが生成され、ブログやホームページ、携帯で制作、閲覧できるシステムまたアニメコマーシャルも作成でき。アフィリエイト広告もアニメで生成使用できる装置。
【請求項２】
ブラウザで利用できるメールシステムで、キーワードで優先順位を付けキーワード毎にフォルダを自動生成させ、そのフォルダに優先順位順に受信できる装置。スパムも優先順位の中の拒否項目にキーワード設定することでスパムのフォルダが自動生成され、フォルダ内のスパムメールを一斉削除でき、一度スパムと判断されたメールは自動でスパムフォルダから削除されるシステムである。
【請求項３】
通常通り記事を書いたり、閲覧したりできるが、メールやショッピングモール、アニメ日記、広告動画、ニュース、プレスリリース、検索エンジンと連動させ、ユーザー独自のキーワード設定をする事でキーワードマッチの商品や情報、ＨＰ、ニュースやブログ記事、広告動画、などを自動システムが収集してブログのユーザー画面で表示させるシステム。またユーザーの書いた記事も他のユーザーのキーワードマッチに収集され、検索しなくても効率良く情報を受け取る事が出来るシステム。
【請求項４】
動画の音声を認識させテキスト化させるシステム。視覚障害者は耳から情報を得ることができ、聴覚障害者は目から情報を得る事が同時にできるシステム。同じ発音でも漢字が違うものがある為編集画面でテキストの誤字を修正することができるシステム。
【請求項５】
ブログでインターネットショップを開店できるソフトを内臓したブログ。設定画面でお店のテンプレートを選び、商品画像もユーザーが指定するサイズで一定化して、トリミングの必要なく一定の大きさに効率的にアップデートできるショッピングカート内臓のシステム。ドラッグアンドドロップで設置でき迅速に作成できる。更新もドラッグアンドドロップで動かしたい所にレイアウトできるシステム。ＨＴＭＬの知識がなくても制作でき、またＪＰＥＧアニメーション機能を内蔵させる事で、商品写真画像が劣化することなく、ＪＰＥＧに対応した動画で１スペースでいくつものイメージ商品写真などを表現できるシステム。ブログユーザーのキーワードマッチに対応しユーザーが対照商品見つけやすくなり集客にも効果的である。
【請求項６】
画像や、文章を設定画面から広告主が自由に広告スペースを有効利用できるシステム。画像や紹介文を予め設定した日時に自動で最新の情報を更新する事ができるシステム。
【請求項７】
各サイトの広告を紹介する際に、一定の位置になってしまいがちな広告スペースに広告のテーブルをシステムのアルゴリズムにより、広告の配置をランダムにシャッフルさせる事で、新鮮な広告ページを表示するシステム。
【発明の詳細な説明】
【技術分野】
【０００１】本発明はインターネットにおける複雑化したアプリケーションを一元化する為のシステム開発である。
【背景技術】
【発明の開示】
【発明が解決しようとする課題】
【０００２】アニメーションにおいて従来はまず絵が描けないとアニメの制作はできない。【０００３】スパムメールや架空請求などの悪行も氾濫しており対策を施してもいたちごっこでるのが現状である。【０００４】従来のブログは記事を書いてコメントをもらうのが主流であるが、ブログユーザーが増えたため、目的に合ったキーワードの検索は容易ではない。【０００５】従来動画は視覚と聴覚に頼らざるを得なかった。さらに動画の文字おこしは手間と時間が掛かる作業であった。【０００６】従来のネットショップの構築にはＨＴＭＬの知識、またはホームページ制作ソフトの使い方を習得しなければ制作できなかった。【０００７】従来の広告は一度広告を貼ると契約期限まで同じものを使用し日時も広告主の自由にはなりずらいものであった。【０００８】従来の広告は位置が固定的で不利な配置でも容認せざるを得なかった。
【課題を解決するための手段】
【０００９】近年ブログでは日記などで自己表現が容易であるにも関わらずアニメでの表現においては難しい状況にある。日本の文化で海外でのアニメの評価が高いにも関わらずこの分野において自由な表現は容易ではない、絵が描けない事によってのハードルをさげる事によって日記や簡単な文章でアニメの自動生成を提供する事で新しい自己表現を可能にする。オリジナル性を高める為に名詞、動詞、形容詞を色、デザイン、種類においてキャラクターや詳細設定を可能にする。【００１０】情報社会の現代において情報の氾濫も目立ち、ユーザーが自分にとって有益な情報を得るのにも時間を要すようになっている。さらに、現状のインターネットをする目的に合わせてブラウザやメールソフトを起動させなくてはならない。そこでユーザーが任意の希望するキーワードや排除したいキーワードをメールソフトそのものに付加することで本来必要とする情報を優先的に抽出する事で利便性を向上させる。【００１１】最も興味のある商品も情報もブログで探すのは困難である。よってブログそのものが検索キーワードを絞り込むシステムを付加することでブラウザを開いて検索する必要もない、商品、情報、メールをワンブラウザで表示する事でブログを書いたり閲覧するだけのものでなくインターネットの利用で必要な事を一元化できる。ショッピングと連動しているので目的の商品は探しやすくした。【００１２】動画の音声を自動でテキスト化することで聴覚障害の人にも情報が正確に伝わり、文字おこしの手間を軽減させる事ができる。情報提供者も動画の弊害を解決することで動画を利用しやすくなり動画で聞き逃した情報もテキスト化によって正確に伝わる。【００１３】ホームページ制作ソフトの使い方を習得しなければ制作できなかった。また更新作業にも大変な時間と労力がかかり負担も大きい。これをブログを更新するような手軽さで更新、構築できることで負担軽減を図る。ショッピングカートなども特殊なプログラムの設定も必要なくボタンひとつで設定できる【００１４】広告主側にもタイムリーに広告での表現が難しいのが主流であった。広告主と客の利益に障害となりうる。そこで広告主のタイムリーな情報伝達を可能にするため、予め日時設定を行えることで広告の切り替えをスムーズにできる広告配信である。【００１５】広告の配置をランダムにシャッフルする事で、広告主の尿時に対しての公平さを保つ目的である。
【発明の効果】
【００１６】オリジナル性を高める為に名詞、動詞、形容詞を色、デザイン、種類においてキャラクターや詳細設定を可能にすることによって、同じ文章を書いても同一のアニメーションにはならずオリジナルなアニメーションを生成する。ユーザー設定画面で各オリジナルキャスティングのキャラクターをオリジナル化するために色や表情、背景、物などを選択してキャラクターを作る事ができるため同じシナリオでも同じアニメーションにはならない。【００１７】従来は態々メーラーを立ち上げないとメールが出来なかったがユーザーが任意の希望するキーワードや排除したいキーワードをメールソフトそのものに付加することで本来必要とする情報を優先的に抽出する事で利便性を向上させ。、ワンブラウザでそれを可能にする事によりユーザビリティーを追求した。【００１８】ブログは書く、コメントをもらうだけのものではなくもっと効率よくウェブとして活用できるものである。ここに機能を追加しキーワードよるカスタマイズシステムを導入する事でインターネットで利用するアプリケーションを一元化して効率を図る。【００１９】動画の音声を自動でテキスト化していなかった為、何度も動画を再生して確認したり、聴覚障害の人にも情報が伝わりにくくユーザビリティーにおいては不便さが残っていた。テキスト化することで取りこぼしなく、情報提供者も動画の弊害を解決することで動画を利用しやすくなり動画で聞き逃した情報もテキスト化によって正確に伝わる。【００２０】ホームページ作成ソフトよりもタグでのホームページ作成よりも、視覚化した構築ができるのでブログを更新するような手軽さでンットショップを更新、構築できることで負担軽減を図る。プログラム知識もいらずに多くに人が活用できる目的である。【００２１】広告や告知したい情報を予め日時設定でタイムリーに伝達する事ができるので、旬な告知を迅速に効果的に知らせる事で今までキャンペーン期限が過ぎた状態の広告などの無駄な広告期限を排除でき、広告主にも客にも有効的に利用することができる。【００２２】今まで何ヶ月も広告期限中は同じ位置に同じ広告があり見るものにも新鮮さを失わせている為クリック率にも影響があった。広告を定期的にシャッフルさせるシステムを利用する事で見るものにも新鮮さを与え、不利な位置の広告主にも有効なスペース提供ができる。
【発明を実施するための最良の形態】
【００２３】一元化するための発明なので、ブログユーザー設定画面にメール、検索エンジン、キーワード設定で抽出された商品、広告、アニメ日記、動画を配置し設定画面が全てのサービス利用の入り口となり、各ユーザーの利用したい項目を使用したり作成したりできる。各項目の携帯を図面で示す。
【実施例】
【００２４】全体の構図を図１に示した。
【図面の簡単な説明】
【００２５】
【図１】本システムの機能概念図
【図２】広告サーヒス・広告シャッフルフローチャート図
【図３】紹介文・日時設定フローチャート図
【図４】メール・ブログシステム・キーワードデータベース概念図
【図５】キーワードデータベースファイルレイアウト図
【図６】動画配信機能・概念図
【図７】ショッピングモールフローチャート図
【図８】アニメーション概念図
【図９】アニメーション設定画面
【符号の説明】
【００２６】１００  動画変換システムサーバー
１０１  キーワードデータベース
１０２  広告システムサーバー
１０３  プログ・動画・アニメシステムサーバー
１０４  アニメーション設定
【図１】
2009301518.tif 000003
【図２】
2009301518.tif 000004
【図３】
2009301518.tif 000005
【図４】
2009301518.tif 000006
【図５】
2009301518.tif 000007
【図６】
2009301518.tif 000008
【図７】
2009301518.tif 000009
【図８】
2009301518.tif 000010
【図９】
2009301518.tif 000011